(57)【要約】      （修正有）【課題】パンタグラフ式ジャッキの平板の平行した昇降移動を可能とした揚重装置を提供する。【解決手段】２基のパンタグラフ機構Ｘ，Ｙを間隔Ｆを設けてずれる型で重合させて配設し、２基のパンタグラフの２つのリンク機構の揚重力の結合によって力のある昇降が可能となった。そして２基のパンタグラフ機構を組合せることによって利用応用範囲の拡大を図る。【選択図】図１
0003142568.tif 000002
【実用新案登録請求の範囲】
【請求項１】
２基のパンタグラフ式揚重機溝Ｘ，Ｙを間隔Ｆを置いて基台Ａと天板Ｂの間に重合して設け、該揚重機溝Ｘ，Ｙの中央にネジ棒（４）を設け、このネジ棒（４）は中央に継ぎ点（３）を設けて右ネジ（１）と左ネジ（２）を逆ネジに刻設して形成し、右ネジ（１）および左ネジ（２）にネジを刻設した筒状のネジカバーＣ，Ｄを螺着すると共に、該ネジカバーＣ，Ｄには前記間隔Ｆを置いて右パンタグラフＸと左パンタグラフＹの支点（７），（８），（１７），（１８）を設け、該支点を中心にして基台Ａと天板Ｂとの間にパンタグラフ機構を形成した上アーム及び下アームを設けたことを特徴としたパンタグラフ式平行揚重機。
【請求項２】
間隔Ｆを置いて重合する２基のパンタグラフ式揚重機溝Ｘ，Ｙの上下のアームは幅広に形成し、パンタグラフＸのアームとパンタグラフＹのアームは、互いに交差するところで自由に挿通できる空隔（９）を設けたことを特徴とした請求項１に記載のパンタグラフ式平行揚重機。
【請求項３】
請求項１および２に記載のパンタグラフ式平行揚重機を２基、中央に継ぎ点（３１）を設けて右ネジ（１１）と左ネジ（１２）を逆ネジに刻設したネジ棒（４）上にそれぞれ左右に１基ずつ配置したことを特徴としたパンタグラフ式平行揚重装置。
【請求項４】
２本のネジ棒（４），（４）を並列して設け、該ネジ棒（４），（４）に請求項１および２に記載のパンタグラフ式平行揚重機を設けたことを特徴としたパンタグラフ式平行揚重装置。
【考案の詳細な説明】
【技術分野】
【０００１】  本考案は、パンタグラフ式揚重機を２基重合して設けたパンタグラフ式平行揚重機に関する。
【背景技術】
【０００２】  ジャッキといわれている揚重機には油圧を利用した油圧ジャッキやパンタグラフ式のリンク機構を利用したパンタグラフ式のジャッキがあり、自動車のパンク修理に使用するため、自動車の常備品として常に携行しているパンタグラフ式のジャッキは構造が簡単で、しかも中央のネジ棒を回動することで自動車のような重量のあるものでも簡単に揚重できる。
【特許文献１】  特開２００５−２８０１１号公報
【考案の開示】
【考案が解決しようとする課題】
【０００３】  パンタグラフ式のジャッキは前記自動車用のジャッキにみられるように自動車のフレームの一点にジャッキの頭（支点）を当ててジャッキアップをするもので、パンタグラフの機構上、幅のある面の揚重には不向であり、このためパンタグラフ式ジャッキを２台距離を開けて配して、それぞれを操作して面の揚重を行っていた。
【課題を解決するための手段】
【０００４】  考案者はこの点について鋭意研究を続けた結果本考案に到達したものであって、本考案は、２基のパンタグラフ式揚重機溝ＸとＹを比較的狭い間隔Ｆを置いて基台Ａと天板Ｂの間に重り合う形で設け、この揚重機溝ＸとＹの中央に作動ネジ棒を共通するネジ棒（４）として設け、しかも、このネジ棒（４）の中央に継ぎ点（３）を設けてそれぞれを逆ネジに刻設し、この左右のネジ部に螺合するネジカバーＣ，Ｄを設け、このネジカバーＣ，Ｄに前記間隔Ｆを置いてパンタグラフＸ，Ｙの支点を左右に設け、この支点を中心にして基台Ａと天板Ｂの間にパンタグラフ機構を形成することによって、ＸとＹの２基のパンタグラフの頂点となる支点が天板Ｂを支持しているため揚重する頂点は面体で支持が可能となる。
【考案の効果】
【０００５】  本考案の揚重装置は、天板Ｂを面で支持できるため家具などの平行な上下移動に適用が可能で利用範囲は広く、この考案装置のもたらす作用効果はきわめて顕著である。
【考案を実施するための最良の形態】
【０００６】  添付図面により本考案の実施するための最良の形態を説明すると、図１は本考案のパンタグラフ式平行揚重機の基本となる揚重機の構造図であり、基台Ａと天板Ｂの間にパンタグラフ式の揚重機Ｘ，Ｙを２基を間隔Ｆを設けて重り合う形式で配し、中央に設けたネジ棒（４）を回動することにより、重合している２基の揚重機Ｘ，Ｙのパンタグラフ式アームの開閉によって基台Ａに対して、天板Ｂが平行に昇降する。なお、ネジ棒（４）は中央に継ぎ点（３）を設けて、右ネジ（１）左ネジ（２）とに区別され、ネジが逆ネジに刻設されている。【０００７】  図２は、図中中央に設けたネジ棒（４）に間隔を置いて、図１で示したパンタグラフ式の揚重機溝Ｘ１，Ｙ１を設けて広い面の天板Ｂの平行しての昇降を可能にする実施例図である。【０００８】  図３は２本のネジ棒（４），（４）を並置して別々に配し、このネジ棒（４），（４）に図１に記載のパンタグラフ式揚重機Ｘ１，Ｙ１を配し、それぞれの揚重機Ｘ１，Ｙ１を同様に作動するか、或は別々に作動することのできる揚重機構の実施例図であって、図示は別々に作動させた際の実施例図を示し、この実施例図においては基台Ａに対して天板Ｂは平行に移動していない。
【実施例】
【０００９】  図面により本考案の実施例を示すと、図１は本考案のパンタグラフ式平行揚重装置の全体を表わす斜視図であって、この揚重機は２基のパンタグラフ式機構Ｘ，Ｙが同一のネジ棒（４）上に間隔Ｆを置いて基台Ａと天板Ｂの間に支点を設けて設置され、前記ネジ棒（４）は中央に継ぎ点（３）を設けて、右ネジ（１）と左ネジ（２）と分割され、ネジ山を逆向きに刻設されている。そして、この右ネジ（１）および左ネジ（２）には、中心部にそれぞれのネジに螺合するネジを刻設した筒状のネジカバーＣ，Ｄを螺合すると共に、このネジカバーＣ，Ｄには前記間隔Ｆをおいて右パンタグラフＸと左パンタグラフＹの支点（７），（８），（１７），（１８）を設ける。そして、このネジカバーＣ，Ｄを支点の中心として、基台Ａと天板Ｂとの間に伸縮する上アーム及び下アームを設けて、パンタグラフ式の揚重機構を形成する。【００１０】  したがって、図示においてハンドル（２０）を回動することにより、パンタグラフ機構Ｘ，Ｙは同期に作動し、基台Ａに対して天板Ｂが平行に上下に移動して揚重作用が生じる。【００１１】  この２基のパンタグラフ機構Ｘ，Ｙの上下のアームは図示するように、幅広に形成し、Ｘ機構のアームとＹ機構のアームは互に交差するが、アームは幅広で、アームには空隔（９）を設けて相手側のアームが挿通されていて、移動が可能な構成とすることによって、２基のパンタグラフ式の機構が同軸上での作用が可能となり、基台Ａに対して板状体を形成する天板Ｂの平行した昇降移動が可能となる。【００１２】  図２は図１に示した本考案の基本となるパンタグラフ式の揚重機を２台直列に配置した実施例図であって、一本のネジ棒（４）の中央に継ぎ点（３１）を設けて、右ネジ（１１）左ネジ（１２）とし、左右逆向きのネジを刻設し、この左右のネジ棒（４），（４）に、それぞれ図１に示したパンタグラフ式揚重機を設けるもので、より広い平板に対しての平行揚重が可能となる。【００１３】  図３は２本のネジ棒（４），（４）を並列に設け、このネジ棒（４），（４）にそれぞれ図１に記載したパンタグラフ式平行揚重機を装置した実施例図であって、この実施例によるときは、天板側の軸受にスライド軸受Ｂ１を設けることによってそれぞれの揚重機を作動する操作によっては図示されるように天板Ｂが平行移動することに限らず傾斜して揚重することが可能であって、例えばベットのような枕方向を上げたりすることに適用される。この装置においては、図示のように天板Ｂに設ける支点は左右に摺動可能なスライド軸受Ｂ１を設け、パンタグラフの伸縮に対応させる。
【産業上の利用可能性】
【００１４】  上述のように本考案のパンタグラフ式平行揚重機は、天板の広い物体の平行揚重に対しての使用が可能であって、卓台の昇降やベット等に応用が可能なためこの利用の可能性は大きい。
【図面の簡単な説明】
【００１５】
【図１】  本考案の基本構成を示す斜視図
【図２】  広い面の揚重を示す実施例図
【図３】  別の実施例図
【符号の説明】
【００１６】      （１）…ネジ棒の右回転軸
（２）…ネジ棒の左回転軸
（３）…ネジ棒継ぎ点
（４）…ネジ棒
（９）…重合するアームの穴
Ａ…基台
Ｂ…天板
Ｃ，Ｄ…ネジを刻設したネジカバー
Ｆ…Ｘ，Ｙパンタグラフ機構の間隔
Ｂ１…スライド軸受
【図１】
0003142568.tif 000003
【図２】
0003142568.tif 000004
【図３】
0003142568.tif 000005